(57)【要約】【課題】作業スペースを抑制しつつ、有処理型の（刷版材又は刷版である）プレートと無処理型のプレートとを自動的に仕分け、それぞれに応じた製版処理を実施可能なプレート搬送装置を提供する。【解決手段】本プレート搬送装置は、画像形成処理装置で画像形成処理を施されたプレートが、現像処理の必要な有処理型及び現像処理の不要な無処理型のいずれであるかを判別する判別部と、画像形成処理装置で画像形成処理を施されたプレートが有処理型であると判定された場合に、このプレートを現像装置へ向けて搬送し、無処理型であると判定された場合に、このプレートを現像装置の上方へ向けて搬送する第１の搬送部と、無処理型であると判定されたプレートを、第１の搬送部から受け取った上で、現像装置の直上を介し、この現像装置で現像処理を施されたプレートをもストック可能なストッカへ向けて搬送する第２の搬送部とを有する。【選択図】図１
2019034515.tif 000002
【特許請求の範囲】
【請求項１】
刷版材又は刷版であるプレートを、画像形成処理装置、現像装置及びストッカの間で搬送するプレート搬送装置であって、
前記画像形成処理装置で画像形成処理を施されたプレートが、現像処理の必要な有処理型及び現像処理の不要な無処理型のいずれであるかを判別する判別部と、
前記画像形成処理装置で画像形成処理を施されたプレートが有処理型であると判定された場合に、該プレートを前記現像装置へ向けて搬送し、無処理型であると判定された場合に、該プレートを前記現像装置の上方へ向けて搬送する第１の搬送部と、
無処理型であると判定されたプレートを、前記第１の搬送部から受け取った上で、前記現像装置の直上を介し、該現像装置で現像処理を施されたプレートをもストック可能な前記ストッカへ向けて搬送する第２の搬送部と
を有することを特徴とするプレート搬送装置。
【請求項２】
前記第１の搬送部は、
前記画像形成処理装置と前記現像装置との間の搬送を行う第１のコンベア部と、
前記第１のコンベア部によって搬送されているプレートを受け取って該第１のコンベア部の上方に移動させ、前記第２の搬送部へ向けて搬送する第２のコンベア部と
を有することを特徴とする請求項１に記載のプレート搬送装置。
【請求項３】
前記第１のコンベア部及び前記第２のコンベア部はそれぞれ、並列して移動する複数の第１のベルト及び複数の第２のベルトを含み、
前記第１の搬送部は、当該第２のベルトを、当該第１のベルトの下方から、当該第１のベルトの隙間を介して、当該第１のベルトの上方へ移動させることが可能なリフト部を更に有する
ことを特徴とする請求項２に記載のプレート搬送装置。
【請求項４】
前記判別部からの出力に基づき所定のタイミングで前記第２のコンベア部を移動させて、前記第１のコンベア部によって搬送され一時停止しているプレートを、該第２のコンベア部に受け取らせる制御を行う制御部を更に有することを特徴とする請求項２又は３に記載のプレート搬送装置。
【請求項５】
前記第２の搬送部は、
前記現像装置の直上にわたって位置する第３のコンベア部と、
前記第３のコンベア部によって搬送されているプレートの移動向きを、当該搬送の途中から前記ストッカへの向きに変更させる移動向き変更部と
を更に有することを特徴とする請求項１から４のいずれか１項に記載のプレート搬送装置。
【請求項６】
前記移動向き変更部は、前記第３のコンベア部によって搬送されているプレートを、移動させた状態で上方から押さ込むことの可能な押さえ込み部を有し、
前記押さえ込み部は、該第３のコンベア部の搬出位置近傍で、当該搬送の途中から、当該プレートを押さえ込みつつ外側斜め下方に変位可能となっている
ことを特徴とする請求項５に記載のプレート搬送装置。
【請求項７】
前記第２の搬送部は、前記第３のコンベア部によって搬送されるプレートを検出するプレート検出センサ部を更に有し、
前記押さえ込み部は、前記プレート検出センサ部からの出力に基づき所定のタイミングで、当該プレートを押さえ込みつつ外側斜め下方に変位する
ことを特徴とする請求項６に記載のプレート搬送装置。
【請求項８】
前記第２の搬送部は、
前記現像装置の直上にわたって位置する第３のコンベア部と、
前記第３のコンベア部を支持し、該第３のコンベア部を、前記現像装置の直上にわたる位置から移動させることが可能なコンベア支持部と
を有することを特徴とする請求項１から７のいずれか１項に記載のプレート搬送装置。
【請求項９】
刷版材又は刷版であるプレートを画像形成処理装置から現像装置まで搬送可能なプレート搬送手段によって搬送される当該プレートを、ストッカまで搬送可能にするプレート搬送装置であって、
前記画像形成処理装置で画像形成処理を施されたプレートが、現像処理の必要な有処理型及び現像処理の不要な無処理型のいずれであるかを判別する判別部と、
前記画像形成処理装置で画像形成処理を施されたプレートが無処理型であると判定された場合に、該プレートを前記現像装置の上方へ向けて搬送する第１の搬送部と、
無処理型であると判定されたプレートを、前記第１の搬送部から受け取った上で、前記現像装置の直上を介し、該現像装置で現像処理を施されたプレートをもストック可能な前記ストッカへ向けて搬送する第２の搬送部と
を有することを特徴とするプレート搬送装置。
【請求項１０】
刷版材又は刷版であるプレートを画像形成処理装置から現像装置まで搬送可能なプレート搬送手段によって搬送される当該プレートを、ストッカまで搬送可能にするプレート搬送システムであって、
前記画像形成処理装置で画像形成処理を施されたプレートが、現像処理の必要な有処理型及び現像処理の不要な無処理型のいずれであるかを判別する判別手段と、
前記画像形成処理装置で画像形成処理を施されたプレートが無処理型であると判定された場合に、該プレートを前記現像装置の上方へ向けて搬送する第１の搬送手段と、
無処理型であると判定されたプレートを、前記第１の搬送手段から受け取った上で、前記現像装置の直上を介し、該現像装置で現像処理を施されたプレートをもストック可能な前記ストッカへ向けて搬送する第２の搬送手段と
を有することを特徴とするプレート搬送システム。
【請求項１１】
前記画像形成処理装置と、前記現像装置と、有処理型のプレート及び無処理型のプレートをともにストックする前記ストッカと、請求項１から８のいずれか１項に記載のプレート搬送装置、請求項９に記載のプレート搬送装置及び前記プレート搬送手段、並びに請求項１０に記載のプレート搬送システム及び前記プレート搬送手段のうちのいずれかとを備えた製版システム。
【請求項１２】
刷版材又は刷版であるプレートを、画像形成処理装置、現像装置及びストッカの間で搬送するプレート搬送装置又はシステムの制御部によるプレート搬送方法であって、
前記画像形成処理装置で画像形成処理を施されたプレートが、現像処理の必要な有処理型及び現像処理の不要な無処理型のいずれであるかを判別するステップと、
前記画像形成処理装置で画像形成処理を施されたプレートが有処理型であると判定された場合に、該プレートを前記現像装置へ向けて搬送し、無処理型であると判定された場合に、該プレートを前記現像装置の上方へ向けて搬送するステップと、
無処理型であると判定されたプレートを、前記第１の搬送部から受け取った上で、前記現像装置の直上を介し、該現像装置で現像処理を施されたプレートをもストック可能な前記ストッカへ向けて搬送するステップと
を有することを特徴とするプレート搬送方法。
【発明の詳細な説明】
【技術分野】
【０００１】
本発明は、平板印刷に使用される刷版を作製する製版技術に関する。
【背景技術】
【０００２】
近年、平板印刷（オフセット印刷）は、書籍や商業用書類等の印刷に広く利用され、最もポピュラーな印刷方法となっている。また現在、この平板印刷に使用される刷版を作製する方式として、デジタル印刷データを用い、フィルム等の中間体を介さずに、刷版材に直接露光処理を施して刷版を作製するＣＴＰ（Computer To Plate）方式が普及している。
【０００３】
さらに、このＣＴＰ用の刷版材として、露光処理後に現像処理を必要とする従来の有処理型（例えば、特許文献１を参照）とは異なり、露光処理後の現像処理を必要としない無処理型（例えば、特許文献２を参照）の刷版が多数開発され、幅広く使用されている。
【０００４】
この無処理型刷版材は、現像処理を省略することができ、その点でケミカルフリーであるので、作製コストの低減化をもたらし、また環境対策上も有利となっている。さらに、明室環境下での取り扱いが可能であり、製版システムの簡素化にも貢献する。
【先行技術文献】
【特許文献】
【０００５】
【特許文献１】特開２０１１−２１８７７８号公報
【特許文献２】特開２０１１−１８３８１２号公報
【発明の概要】
【発明が解決しようとする課題】
【０００６】
実際の製版・印刷の現場では、既存の設備等を活用しなければならない事情もあって、上述した無処理型刷版と合わせ、従来の有処理型刷版も並行して作製し、同一のストッカに収納する場合が少なくない。特に、現場の作業スペースや設備そのものが限られている場合、有処理型刷版材も無処理型刷版材も共に同一の露光機を用いて露光処理を行うことになる。この場合、作業者は、露光処理後のプレートが有処理型か無処理型かを見分けて、有処理型刷版材を現像機に投入し、一方、無処理型刷版材を現像機の背後に置かれたストッカまで搬送するといった面倒な作業を行わなければならない。
【０００７】
ここで、例えば公知のＴ字型のベルトコンベアを用いて、露光処理後の有処理型刷版材及び無処理型刷版材を人手で仕分け、このうち無処理型刷版材を、現像機背後のストッカまでこの現像機を迂回して搬送することも考えられるが、このようなベルトコンベアを展開するのに多大な床スペースが必要となってしまう。またこの場合、ベルトコンベアからストッカへの刷版の収納も容易ではない。例えば、搬送された刷版を人手で持ち上げ、ストッカの上部へ投入しなければならなくなる。
【０００８】
さらに、作業者が有処理型か無処理型かを見分けて仕分けること事体、労力を浪費するものであり、また仕分けのミスによる刷版システムへの悪影響も懸念される。
【０００９】
そこで、本発明は、作業スペースを抑制しつつ、有処理型の（刷版材又は刷版である）プレートと無処理型のプレートとを自動的に仕分け、それぞれに応じた製版処理を実施可能なプレート搬送装置、プレート搬送システム、製版システム及びプレート搬送方法を提供することを目的とする。
【課題を解決するための手段】
【００１０】
本発明によれば、刷版材又は刷版であるプレートを、画像形成処理装置、現像装置及びストッカの間で搬送するプレート搬送装置であって、
画像形成処理装置で画像形成処理を施されたプレートが、現像処理の必要な有処理型及び現像処理の不要な無処理型のいずれであるかを判別する判別部と、
画像形成処理装置で画像形成処理を施されたプレートが有処理型であると判定された場合に、このプレートを現像装置へ向けて搬送し、無処理型であると判定された場合に、このプレートを現像装置の上方へ向けて搬送する第１の搬送部と、
無処理型であると判定されたプレートを、第１の搬送部から受け取った上で、現像装置の直上を介し、この現像装置で現像処理を施されたプレートをもストック可能なストッカへ向けて搬送する第２の搬送部と
を有するプレート搬送装置が提供される。
【００１１】
この本発明によるプレート搬送装置の一実施形態として、第１の搬送部は、画像形成処理装置と現像装置との間の搬送を行う第１のコンベア部と、第１のコンベア部によって搬送されているプレートを受け取ってこの第１のコンベア部の上方に移動させ、第２の搬送部へ向けて搬送する第２のコンベア部とを有することも好ましい。
【００１２】
また、この実施形態において、第１のコンベア部及び第２のコンベア部はそれぞれ、平行に移動する並列した複数の第１のベルト及び複数の第２のベルトを含み、第１の搬送部は、当該第２のベルトを、当該第１のベルトの下方から、当該第１のベルトの隙間を介して、当該第１のベルトの上方へ移動させることが可能なリフト部を更に有することも好ましい。
【００１３】
さらに、この実施形態において、判別部からの出力に基づき所定のタイミングで第２のコンベア部を移動させて、第１のコンベア部によって搬送され一時停止しているプレートを、この第２のコンベア部に受け取らせる制御を行う制御部を更に有することも好ましい。
【００１４】
また、本発明によるプレート搬送装置の他の実施形態として、第２の搬送部は、現像装置の直上にわたって位置する第３のコンベア部と、第３のコンベア部によって搬送されているプレートの移動向きを、当該搬送の途中からストッカへの向きに変更させる移動向き変更部とを更に有することも好ましい。
【００１５】
さらに、この移動向き変更部は、第３のコンベア部によって搬送されているプレートを、移動させた状態で上方から押さ込むことの可能な押さえ込み部を有し、押さえ込み部は、第３のコンベア部の搬出位置近傍で、当該搬送の途中から、当該プレートを押さえ込みつつ外側斜め下方に変位可能となっていることも好ましい。
【００１６】
また、上記の押さえ込み部を利用する実施形態において、第２の搬送部は、第３のコンベア部によって搬送されるプレートを検出するプレート検出センサ部を更に有し、押さえ込み部は、プレート検出センサ部からの出力に基づき所定のタイミングで、当該プレートを押さえ込みつつ外側斜め下方に変位することも好ましい。
【００１７】
さらに、本発明によるプレート搬送装置の更なる他の実施形態として、第２の搬送部は、現像装置の直上にわたって位置する第３のコンベア部と、第３のコンベア部を支持し、この第３のコンベア部を、現像装置の直上にわたる位置から移動させることが可能なコンベア支持部とを有することも好ましい。
【００１８】
本発明によれば、また、刷版材又は刷版であるプレートを画像形成処理装置から現像装置まで搬送可能なプレート搬送手段によって搬送される当該プレートを、ストッカまで搬送可能にするプレート搬送装置であって、
画像形成処理装置で画像形成処理を施されたプレートが、現像処理の必要な有処理型及び現像処理の不要な無処理型のいずれであるかを判別する判別部と、
画像形成処理装置で画像形成処理を施されたプレートが無処理型であると判定された場合に、このプレートを現像装置の上方へ向けて搬送する第１の搬送部と、
無処理型であると判定されたプレートを、第１の搬送部から受け取った上で、現像装置の直上を介し、この現像装置で現像処理を施されたプレートをもストック可能なストッカへ向けて搬送する第２の搬送部と
を有するプレート搬送装置が提供される。
【００１９】
本発明によれば、さらに、刷版材又は刷版であるプレートを画像形成処理装置から現像装置まで搬送可能なプレート搬送手段によって搬送される当該プレートを、ストッカまで搬送可能にするプレート搬送システムであって、
画像形成処理装置で画像形成処理を施されたプレートが、現像処理の必要な有処理型及び現像処理の不要な無処理型のいずれであるかを判別する判別手段と、
画像形成処理装置で画像形成処理を施されたプレートが無処理型であると判定された場合に、このプレートを現像装置の上方へ向けて搬送する第１の搬送手段と、
無処理型であると判定されたプレートを、第１の搬送手段から受け取った上で、現像装置の直上を介し、この現像装置で現像処理を施されたプレートをもストック可能なストッカへ向けて搬送する第２の搬送手段と
を有するプレート搬送システムが提供される。
【００２０】
本発明によれば、また、画像形成処理装置と、現像装置と、有処理型のプレート及び無処理型のプレートをともにストックするストッカと、以上に述べたプレート搬送装置、以上に述べたプレート搬送装置及び上記プレート搬送手段、並びに以上に述べたプレート搬送システム及び上記プレート搬送手段のうちのいずれかとを備えた製版システムが提供される。
【００２１】
本発明によれば、さらに、刷版材又は刷版であるプレートを、画像形成処理装置、現像装置及びストッカの間で搬送するプレート搬送装置又はシステムの制御部によるプレート搬送方法であって、
画像形成処理装置で画像形成処理を施されたプレートが、現像処理の必要な有処理型及び現像処理の不要な無処理型のいずれであるかを判別するステップと、
画像形成処理装置で画像形成処理を施されたプレートが有処理型であると判定された場合に、このプレートを現像装置へ向けて搬送し、無処理型であると判定された場合に、このプレートを現像装置の上方へ向けて搬送するステップと、
無処理型であると判定されたプレートを、第１の搬送部から受け取った上で、現像装置の直上を介し、この現像装置で現像処理を施されたプレートをもストック可能なストッカへ向けて搬送するステップと
を有するプレート搬送方法が提供される。
【発明の効果】
【００２２】
本発明のプレート搬送装置、プレート搬送システム、製版システム及びプレート搬送方法によれば、作業スペースを抑制しつつ、有処理型の（刷版材又は刷版である）プレートと無処理型のプレートとを自動的に仕分け、それぞれに応じた製版処理を実施することが可能となる。
【図面の簡単な説明】
【００２３】
【図１】本発明によるプレート搬送装置の一実施形態を説明するための模式図である。
【図２】本発明に係る第１コンベア部及び第２コンベア部によるプレート搬送の一実施形態を説明するための模式図である。
【図３】本発明に係る第３コンベア部によるプレート搬送の一実施形態を説明するための模式図である。
【図４】本発明に係る第２搬送部を移動させて現像機の取り扱いを可能にする一実施形態を説明するための模式図である。
【図５】本発明によるプレート搬送方法の一実施形態を示すフローチャートである。
【図６】本発明によるプレート搬送装置の他の実施形態を示す正面図である。
【図７】図６に示したプレート搬送装置の平面図である。
【図８】図６に示したプレート搬送装置の左側面図である。
【図９】図６に示したプレート搬送装置の右側面図である。
【図１０】図６に示したプレート搬送装置の底面図である。
【図１１】図６に示したプレート搬送装置における各部の名称を示す正面参考図である。
【発明を実施するための形態】
【００２４】
以下に、本発明を実施するための形態について、添付図面を参照しながら詳細に説明する。なお、各図面において、同一の構成要素は、同一の参照番号を用いて示される。また、図面中の構成要素内及び構成要素間の寸法比は、図面の見易さのため、それぞれ任意となっている。
【００２５】
［プレート搬送装置・システム］
図１は、本発明によるプレート搬送装置の一実施形態を説明するための模式図である。
【００２６】
図１には、本発明によるプレート搬送装置の一実施形態としてのプレートローダ１が示されている。プレートローダ１は、刷版材又は刷版であるプレートを、（画像形成処理装置である）露光機２、現像機３及びストッカ４の間で搬送し、搬送するプレートが有処理型であっても無処理型であっても、それぞれに必要となる処理を施して適切な製版を行うことを可能にする。
【００２７】
具体的に、プレートローダ１は、
（Ａ）露光機２（画像形成処理装置）で露光（画像形成）処理を施されたプレートが、（現像処理の必要な）有処理型及び（現像処理の不要な）無処理型のうちのいずれであるかを判別する判別センサ部１３１と、
（Ｂ）露光機２（画像形成処理装置）で露光（画像形成）処理を施されたプレートが有処理型であると判定された場合に、このプレートを現像機３へ向けて搬送し、一方、無処理型であると判定された場合に、このプレートを現像機３の上方へ向けて搬送する第１搬送部１１と、
（Ｃ）無処理型であると判定されたプレートを、第１搬送部１１から受け取った上で、現像機３の直上を介し、ストッカ４へ向けて搬送する第２搬送部１２と
を有することを特徴としている。ここで、ストッカ４は、現像機３で現像処理を施されたプレートをもストック可能な、両型に共通の保管装置となっている。
【００２８】
このように、プレートローダ１によれば、
（ア）有処理型プレートは、露光機２（画像形成処理装置）での露光（画像形成）処理を施された後に、現像機３での現像処理を施されてストッカ４へ収納され、一方、
（イ）無処理型プレートは、露光機２（画像形成処理装置）での露光（画像形成）処理を施された後に、有処理型プレートと共通のストッカ４へ収納される
といったことが可能となる。ここで、無処理型プレートは、現像機３の直上を介してストッカ４まで搬送されるので、有処理型か無処理型かを仕分けて搬送するための搬送部によって占められる床スペースが、相当に少なくて済む。
【００２９】
また、判別センサ部１３１によって、搬送中のプレートが有処理型か無処理型かを判別することができるので、プレートを人手で仕分ける手間が省け、さらに、人為的な仕分けミスによる現像機３等への悪影響を防止することが可能となる。
【００３０】
以上、プレートローダ１によれば、作業スペースを抑制しつつ、有処理型プレートと無処理型プレートとを自動的に仕分け、それぞれに応じた製版処理を実施することが可能となるのである。
【００３１】
同じく図１によれば、本実施形態の第１搬送部１１は、
（Ｂ１）露光機２（画像形成処理装置）と現像機３との間の搬送を行う第１コンベア部１１１と、
（Ｂ２）第１コンベア部１１１によって搬送されているプレートを受け取って第１コンベア部１１１の上方に移動させ、第２搬送部１２へ向けて搬送することが可能な第２コンベア部１１２と、
（Ｂ３）第２コンベア部１１２を、第１コンベア部１１１の隙間を介して、第１コンベア部１１１の上方へ移動させることが可能なリフト部１１３と
を有している。ここで、リフト部１１３により駆動した第２コンベア部１１２によって、第１コンベア部１１１の上方へ搬送されるプレートは、判別センサ部１３１によって無処理型であると判定されたプレートとなる。
【００３２】
さらに、本実施形態において、第２搬送部１２は、
（Ｃ１）現像機３の直上にわたって位置する第３コンベア部１２１
を有している。この第３コンベア部１２１は、第２コンベア部１１２によって搬送されてきた無処理型プレートを受け取り、この無処理型プレートを、現像機３上を介して、現像機３の背後にあるストッカ４へ向けて搬送する。
【００３３】
ちなみに、第１コンベア部１１１による搬送中に、判別センサ部１３１によって有処理型であると判定されたプレートは、そのまま第１コンベア部１１１によって現像機３へ投入され、現像処理を施された後、現像機３により搬出されて、共通のストッカ４に収納されることになる。
【００３４】
以上、プレートローダ１の構成、機能及び動作を概略的に説明したが、プレートローダ１は、本実施形態において、
（Ｄ）ユーザの指示操作を受け付け、以上に説明したようなプレートローダ１における動作を、制御しつつ各部に行わせる制御部１１４
を更に有している。制御部１１４は、例えばシーケンサ、ＰＬＣ（Programmable Logic Controller）を備えていて、書き込まれたプログラムの下で第１搬送部１１、第２搬送部１２及び判別センサ部１３１の動作を制御するものであってもよく、または、同様の制御を行うプログラムを搭載したパーソナル・コンピュータ（ＰＣ）とすることもできる。
【００３５】
なお、本実施形態のプレートローダ１においては、第１搬送部１１、第２搬送部１２及び判別センサ部１３１を全て、装置フレーム１３に接続させることによって、全体が一体化した１つの装置となっているが、プレートローダ１として、これらの構成部の少なくとも１つが別の装置となっているような搬送システムが構成されていてもよい。例えば、第１搬送部１１で１つの装置を構成し、一方、装置フレーム１３に接続された第２搬送部１２及び判別センサ部１３１をもって別の装置を構成することも可能である。
【００３６】
また、１つの装置を構成しているプレートローダ１において、第１搬送部１１、第２搬送部１２及び装置フレーム１３（判別センサ部１３１）が、適宜接続・分離可能なようになっていることも好ましい。
【００３７】
さらに、装置又はシステムとしてのプレートローダ１と、露光機２（画像形成処理装置）と、現像機３と、ストッカ４とは、全体として製版システムを構成している。ここで、プレートローダ１の第１搬送部１１及び第２搬送部１２は、後述するように例えばベルトコンベアを主要構成要素としているので、比較的に搬送・搬入が容易である。一方、現像機３等は、移動させるために場合によってはクレーン等が必要となる。したがって、このような製版システムを製版・印刷の現場で構築する際、すでに設置されている露光機２や現像機３、さらにはストッカ４を大きく移動させることなく、プレートローダ１をそれらに合わせて配置することによって容易に製版システムを構築することが可能となるのである。
【００３８】
また、本発明によるプレート搬送装置の更なる他の実施形態として、露光機２（画像形成処理装置）から現像機３までプレートを搬送する（プレート搬送手段としての）第１コンベア部１１１が予め設置されている場合を考える。これは例えば、第１コンベア部１１１が既設の露光機２と一体となっていて、第１コンベア部１１１の搬送動作を、（制御部１１４ではなく）露光機２が制御する場合を含む。
【００３９】
この場合、本発明のプレート搬送装置としてのプレートローダ１’においては、第１搬送部１１’は、上記（Ｂ１）の第１コンベア部１１１を含まず、第２コンベア部１１２’及びリフト部１１３’を含み、露光機２で露光処理（画像形成処理）を施されたプレートが無処理型であると判定された場合に、このプレートを現像機３の上方へ向けて搬送する。このようなプレートローダ１’によっても、作業スペースを抑制しつつ、有処理型のプレートと無処理型のプレートとを自動的に仕分け、それぞれに応じた製版処理を実施することが可能となるのである。
【００４０】
また、このブレードローダ１’についても、例えば第１搬送部１１’と第２搬送部１２’とが別装置であって全体としてプレート搬送システムを構成していることも好ましい。さらに、露光機２（画像形成処理装置）と、現像機３と、ストッカ４と、装置又はシステムとしてのブレードローダ１’と、既設の第１コンベア部１１１とが全体として製版システムを構成していると捉えることも可能である。
【００４１】
図２は、第１コンベア部１１１及び第２コンベア部１１２によるプレート搬送の一実施形態を説明するための模式図である。
【００４２】
図２（Ａ）によれば、第１搬送部１１の第１コンベア部１１１は、
（Ｂ１ａ）上側においてプレート搬送方向に移動可能な第１ベルト１１１ａと、
（Ｂ１ｂ）第１ベルト１１１ａをプレート搬送方向に伸長させつつ駆動させる両端２つの第１プーリ１１１ｂと
の複数の組を有している。ここで、これらの複数の組は、プレート搬送方向と直交する方向に並列して設けられている。さらに、第１コンベア部１１１は、制御部１１４による制御に従い、第１プーリ１１１ｂを介して第１ベルト１１１ａを駆動させる（図示していない）モータ駆動部を備えている。
【００４３】
一方、第１搬送部１１の第２コンベア部１１２も、
（Ｂ２ａ）上側においてプレート搬送方向に移動する第２ベルト１１２ａと、
（Ｂ２ｂ）第２ベルト１１２ａをプレート搬送方向に伸長させつつ駆動させる両端２つの第２プーリ１１２ｂと
の複数の組を有している。
【００４４】
また、これらの複数の組も同じく、プレート搬送方向と直交する方向に並列して設けられており、本実施形態ではさらに、このように並列して設けられた複数の組が、プレート搬送方向に沿って直列に２つ並べた形で設けられている。これにより例えば、第１ベルト１１１ａを中央で落ち込まないように支持する、プレート搬送方向と直交する方向に伸長した支持板１１５を設けることも可能となる。
【００４５】
また、第２コンベア部１１２は、制御部１１４による制御に従い、第２プーリ１１２ｂを介して第２ベルト１１２ａを駆動させる（図示していない）モータ駆動部を備えている。このモータ駆動部は、プレート搬送方向に沿って並べられた２つの「複数の組」それぞれの第２ベルト１１２ａを、１つのモータによって連動させて駆動することも好ましい。
【００４６】
次いで、図２（Ｂ）によれば、当初、第１ベルト１１１ａ（第１コンベア部１１１）の下方に位置している第２ベルト１１２ａ（第２コンベア部１１２）を、この第１ベルト１１１ａ（第１コンベア部１１１）の下方から、第１ベルト１１１ａの隙間を介して、第１ベルト１１１ａ（第１コンベア部１１１）の上方へ移動させることが可能なリフト部１１３が設けられている。なお、このリフト部１１３の駆動制御も制御部１１４が行う。
【００４７】
また、判別センサ部１３１は、露光処理を施されたプレートが有処理型か無処理型かを判別し、判別結果を制御部１１４に通知する。本実施形態において、判別センサ部１３１は、プレート表面の色の種類を判別するセンサを含み、例えば、キーエンス社のデジタルカラー判別センサを用いて構成することができる。
【００４８】
実際、現像処理後のプレートの表面は、製造メーカによって、さらには有処理型か無処理型かによって決まる所定の色をなしている。例えば、コダック社の無処理型プレートは表面色が薄いグレーとなっており、一方、同社の有処理型プレートは、紺色や緑色となっている。したがって、制御部１１４（又は判別センサ部１３１）において、検出される色とプレートの処理型とを予め対応付けて記憶させておき、判別センサ部１３１のセンサで判別された色の種類から、有処理型か無処理型かを判別することが可能となるのである。
【００４９】
本実施形態のように、判別センサ部１３１が色の種類を判別する場合、例えば受信光の強度に基づいて判別する場合に比べ、判別センサ部１３１とプレートとの距離をより大きく設定することができる。特に、このような判別センサ部１３１を用いることによって、第２コンベア部１１２が無処理型プレートを、プレート判別位置よりも上方へ（すなわち判別センサ部１３１に近づける向きへ）移動させても問題が生じないように、予め、判別センサ部１３１と第１コンベア部１１１上の判別位置との距離を十分に大きくとることが可能となるのである。
【００５０】
なお、判別センサ部１３１による、判別するための検出対象は当然に、プレート表面の色に限定されるものではない。例えば、プレート表面の反射率、表面の明度、表面反射波の分光スペクトルや、カラートーン、光沢度、さらには表面粗さ等を採用することもできる。例えば、カラートーンに係る所定閾値を適切に設定し、検出されたプレート表面のカラートーンがこの所定閾値を超える場合に有処理型であると判定し、一方、この所定閾値以下となる場合、無処理型であると判定することも可能である。
【００５１】
同じく図２（Ｂ）において、第１搬送部１１は、露光処理を終えて露光機２から出てきたプレートを第１ベルト１１１ａによって図中右側へ搬送し、プレートが所定位置に達した際（例えば、所定搬送速度によるプレート搬送の開始時点から所定時間が経過した際）、このプレートをこの所定位置で停止させる。ここで、このような搬送制御は、制御部１１４によって実施されてもよいが、露光機２がこのような搬送制御を行う機能を有していて、この露光機２の機能によって実施されることも可能である。
【００５２】
その後、制御部１１４は、判別センサ部１３１からの出力に基づき所定のタイミングで（例えば、無処理型であるとの判別結果が出力されてから（又はプレートを検出してから）所定時間（例えば0.5〜1秒）の経過した時点で）、第２ベルト１１２ａ（第２コンベア部１１２）をリフト部１１３によって上方に移動させ、停止しているプレートをこの第２ベルト１１２ａ（第２コンベア部１１２）に受け取らせる制御を行う。
【００５３】
ちなみに、判別センサ部１３１は、所定位置で停止したプレートに対し、停止したタイミングで無処理型か否かの判別処理（又はプレートの検出処理）を開始することも好ましい。この場合、停止対象を検出するのでより確実な判別が可能となる。なお当然に、判別センサ部１３１が、この所定位置で停止する前の移動中のプレートを検出し、判別処理を行うことも可能である。
【００５４】
次いで、図２（Ｃ）に示すように、制御部１１４は、プレートを受け取った第２ベルト１１２ａ（第２コンベア部１１２）を、リフト部１１３によって第１ベルト１１１ａ（第１コンベア部１１１）の上方に移動させ、このプレートを第２搬送部１２（第３ベルト１２１ａ，第３コンベア部１２１）へ向けて搬送するのである。
【００５５】
このように、本実施形態によれば、第２ベルト１１２ａ（第２コンベア部１１２）が、第１ベルト１１１ａ（第１コンベア部１１１）の隙間を、互いに接触することなく上がっていくので、搬送中のプレートをスムーズに且つ床スペースを大きく取ることなく振り分けることが可能となるのである。例えば、公知のＴ字型のベルトコンベアを用いてプレートを振り分ける形態と比較すると、振り分け時におけるプレートの移動向きの調整も不要となり、さらに、振り分けた先のベルトコンベアを設置するのに新たな床スペースを費やす必要もなく、上述した効果が確実に奏功されることが理解される。
【００５６】
なお、露光機２のプレート搬出口、及び現像機３のプレート搬入口の床面からの高さは、例えば900〜970mmであるが、第１ベルト１１１ａの上側の高さも、これらの高さに合わせて設定されている。また、リフトアップ後の第２ベルト１１２における上側の床面からの高さも、第３ベルト１２１の上側の床面からの高さに合わせて設定されている。このような設定によって、プレートのスムーズな移送・転送が可能となるのである。
【００５７】
図３は、第３コンベア部１２１によるプレート搬送の一実施形態を説明するための模式図である。
【００５８】
図３（Ａ）によれば、第２搬送部１２の第３コンベア部１２１は、
（Ｃ１ａ）現像機３の直上にわたって位置しており上側においてプレート搬送方向に移動可能な第３ベルト１２１ａと、
（Ｃ１ｂ）第３ベルト１２１ａをプレート搬送方向に伸長させつつ駆動させる両端２つの第３プーリ１２１ｂと
の複数の組を有している。また、これらの複数の組は、プレート搬送方向と直交する方向に並列して設けられている。さらに、第２コンベア部１１２は、制御部１１４による制御に従い、第３プーリ１３１ｂを介して第３ベルト１２１ａを駆動させる（図示していない）モータ駆動部を備えている。
【００５９】
さらに、本実施形態において第２搬送部１２は、
（Ｃ２）第３ベルト１２１ａ（第３のコンベア部１２１）によって搬送されているプレートの移動向きを、この搬送の途中からストッカ４への向きに変更させる移動向き変更部１２２
を有している。また、この移動向き変更部１２２は、本実施形態において、
（Ｃ２ａ）第３コンベア部１２１によって搬送されているプレートを、移動させた状態で上方から押さ込むことの可能な押さえ込み部１２２ａ（本実施形態では複数のプーリ）と、
（Ｃ２ｂ）押さえ込み部１２２ａ（プーリ）を、第３コンベア部１２１の搬出位置近傍で、プレートの搬送の途中から、プレートを押さえ込みつつ外側斜め下方に変位可能とする（図示していない）駆動部と
を備えている。
【００６０】
同じく図３（Ａ）に示すように、第２搬送部１２は、さらに、
（Ｃ３）第３コンベア部１２１によって搬送されるプレートを検出するプレート検出センサ部１２３
を有しており、押さえ込み部１２２ａ（プーリ）は、プレート検出センサ部１２３からの出力に基づき所定のタイミングで、プレートを押さえ込みつつ外側斜め下方に変位するように駆動制御されることも好ましい。
【００６１】
ここで、プレート検出センサ部１２３は、例えば物体の有無や移動を検出可能な公知の近接光センサを有し、第３ベルト１２１ａに載って移動してきたプレートが所定位置に達したか否かを検知し、検知結果を制御部１１４に通知することができる。また当然に、プレート検出センサ部１２３は、近接光センサ以外のセンサを利用してプレートを検出するものであってもよい。
【００６２】
図３（Ｂ）によれば、第３ベルト１２１ａに載って移動してきたプレートは、ストッカ４側の第３プーリ１２１ｂと押さえ込み部１２２ａ（プーリ）とに挟まれつつ搬送されている。その後、このプレートは図３（Ｃ）に示すように、その移動向きを、この搬送の途中から移動向き変更部１２２によってストッカ４への向きに変更させられる。ここで、制御部１１４は、例えばプレート検出センサ部１２３から（プレートを検出した旨の）検出結果を取得してから所定時間（例えば20〜25秒）の経過したタイミングで、押さえ込み部１２２ａ（プーリ）を外側斜め下方に変位させることも好ましい。
【００６３】
このような移動向き変更部１２２によるプレート搬送向きの変更によって、プレートは、ばたつくことなくスムーズに、さらには搬送経路から逸脱することなく確実に、ストッカ４まで搬送されるのである。
【００６４】
図４は、第２搬送部１２を移動させて現像機３の取り扱いを可能にする一実施形態を説明するための模式図である。
【００６５】
図４によれば、第２搬送部１２は、
（Ｃ４）第３コンベア部１２１を支持し、この第３コンベア部１２１を、現像機３の直上にわたる位置から移動させることが可能なコンベア支持部としてのガスダンパ１２４
を更に有している。本実施形態において具体的には、装置フレーム１３に対し回動可能なように固定された第３コンベア部１２１を、ストッカ４側から装置フレーム１３に向けて立て掛けるように持ち上げることができ、さらに、ガスダンパ１２４の作用によって、持ち上げた第３コンベア部１２１を途中の任意の位置で留めることが可能となっている。
【００６６】
これにより、非搬送時には作業の邪魔となる第３コンベア部１２１を現像機３上から退けて、現像機３に対するメンテナンス等の作業を実施することができる。例えば、現像機３上部のカバーを開けて若しくは取り外して現像機３内部の清掃を行ったり、内部のローラを取り外して掃除を行ったりすることも可能となるのである。
【００６７】
なお、第３コンベア部１２１が駆動している際、又は第１コンベア部１１１若しくは第２コンベア部１１２が駆動している際、制御部１１４は、第３コンベア部１２１のコンベア支持部にストッパを作動させ、第３コンベア部１２１を移動させることができない状態にすることも好ましい。
【００６８】
［プレート搬送方法］
図５は、本発明によるプレート搬送方法の一実施形態を示すフローチャートである。
【００６９】
（Ｓ１０１）第１コンベア部１１１によって露光機２で露光処理を施されたプレートを搬送する。
（Ｓ１０２，Ｓ１０３）判別センサ部１３１によって搬送中のプレートを検出し、検出したプレートが無処理型であるか有処理型であるかを判定する。
（Ｓ１０４，Ｓ１０５）ステップＳ１０３で有処理型であると判定された場合、第１コンベア部１１１を止めてプレートを所定位置で停止させ、次いで、第２コンベア部１１２によってこのプレートを所定の高さまで持ち上げ、第３コンベア部１２１へ差し渡す。
【００７０】
ちなみに、ステップＳ１０４でのプレートの停止は、Ｓ１０２でのプレート検出から所定時間経過後に実施されてもよいし、ステップＳ１０３で無処理型であると判定された場合にのみ（後に第２コンベア部１１２でプレートをリフトアップする場合にのみ）実施されてもよい。この場合、有処理型であると判定されたプレートは、途中で停止することなく現像機３まで速やかに搬送される。なお、有処理型であると判定されたプレートであってもとりあえず一時停止させることも当然に可能である。
【００７１】
さらに、上記ステップＳ１０４を取りやめ、代わりにステップＳ１０３の前に、第１コンベア部１１１で搬送中のプレートを停止させ、その後、ステップＳ１０３の判定処理を実施することも可能である。この場合、停止したプレートに対し判別処理を行うので、より確実な判別結果を得ることができる。
【００７２】
（Ｓ１０６）第３コンベア部１２１によってプレートを搬送する。
（Ｓ１０７）移動向き変更部１２２によって所定位置に達したプレートの移動向きをストッカ４への向きに変更する。その後、ステップＳ１１０に移行する。
【００７３】
（Ｓ１０８，Ｓ１０９）一方、ステップＳ１０３で有処理型であると判定された場合、第１コンベア部１１１によってプレートを現像機３まで搬送する。その後、現像機３がプレートを現像して機外へ搬出し、ステップＳ１１０に移行する。
（Ｓ１１０）プレートをストッカ４に収納する。
【００７４】
以上に示したような搬送・製版フローを、露光済みのプレートが露光機２から搬出される度に実行することによって、無処理型及び有処理型のプレートのいずれに対しても適切な製版処理を施した上で、これらのプレートを共通のストッカに自動的に収納することが可能となるのである。
【００７５】
［プレート搬送装置の意匠］
図６は、本発明によるプレート搬送装置の他の実施形態を示す正面図である。また、図７は、図６に示したプレート搬送装置の平面図である。図８は、図６に示したプレート搬送装置の左側面図である。図９は、図６に示したプレート搬送装置の右側面図である。図１０は、図６に示したプレート搬送装置の底面図である。さらに、図１１は、図６に示したプレート搬送装置における各部の名称を示す正面参考図である。なお、背面図は、図６に示した正面図と対称にあらわれるため省略されている。
【００７６】
図６〜１１に示すように、本物品は、刷版材又は刷版であるプレートを、露光機、現像機及びストッカの間で搬送するプレート搬送装置であり、判別部を備えた装置フレームと、第１搬送部と、第２搬送部とを有する。装置フレームの判別部は、露光機で露光処理を施されたプレートが、現像処理の必要な有処理型及び現像処理の不要な無処理型のうちののいずれであるかを判別する。
【００７７】
また、第１搬送部は、装置フレームと接続されて露光機と現像機との間に設置され、露光機で露光処理を施されたプレートが無処理型であると判定された場合に、このプレートを現像機の上方へ向けて搬送する。さらに、第２搬送部は、同じく装置フレームと接続されて現像機の直上に設置され、無処理型であると判定されたプレートを、第１搬送部から受け取った上で、現像機の直上を介し、現像機で現像処理を施されたプレートをもストック可能なストッカへ向けて搬送する。
【００７８】
以上詳細に説明したように、本発明によれば、有処理型プレートを、画像形成処理装置（露光機）での画像形成処理（露光処理）を施した後に、現像装置での現像処理を施してストッカへ収納し、一方、無処理型プレートを、画像形成処理装置での画像形成処理を施した後に、有処理型プレートと共通のストッカへ収納する、といったことが可能となる。
【００７９】
ここで、無処理型プレートは、現像装置の直上を介してストッカまで搬送されるので、有処理型か無処理型かを仕分けて搬送するための搬送部によって占められる床スペースが、相当に少なくて済む。また、判別部によって、搬送中のプレートが有処理型か無処理型かを自動的に判別することができるので、プレートを人手で仕分ける手間が省ける。すなわち、本発明によれば、作業スペースを抑制しつつ、有処理型プレートと無処理型プレートとを自動的に仕分け、それぞれに応じた製版処理を実施することが可能となるのである。
【００８０】
なお、以上に述べた実施形態は全て、本発明を例示的に示すものであって限定的に示すものではなく、本発明は、他の種々の変形態様及び変更態様で実施することができる。従って、本発明の範囲は、特許請求の範囲及びその均等範囲によってのみ規定されるものである。
【符号の説明】
【００８１】
１  プレートローダ（プレート搬送装置）
１１  第１搬送部
１１１  第１コンベア部
１１１ａ  第１ベルト
１１１ｂ  第１プーリ
１１２  第２コンベア部
１１２ａ  第２ベルト
１１２ｂ  第２プーリ
１１３  リフト部
１１４  制御部
１２  第２搬送部
１２１  第３コンベア部
１２１ａ  第３ベルト
１２１ｂ  第３プーリ
１２２  移動向き変更部
１２２ａ  押さえ込み部
１２３  プレート検出センサ部
１２４  ガスダンパ（コンベア支持部）
１３  装置フレーム
１３１  判別センサ部（判別部）
２  露光機（画像形成処理装置）
３  現像機
４  ストッカ
【図１】
2019034515.tif 000003
【図２】
2019034515.tif 000004
【図３】
2019034515.tif 000005
【図４】
2019034515.tif 000006
【図５】
2019034515.tif 000007
【図６】
2019034515.tif 000008
【図７】
2019034515.tif 000009
【図８】
2019034515.tif 000010
【図９】
2019034515.tif 000011
【図１０】
2019034515.tif 000012
【図１１】
2019034515.tif 000013